(57)【特許請求の範囲】
【請求項１】
自動車用の油圧ブレーキ装置であって、
自動車ドライバのブレーキ希望の関数としてマスタ・シリンダ圧力を発生するためのマスタ・ブレーキ・シリンダと、
前記マスタ・ブレーキ・シリンダと少なくとも１つの車輪の少なくとも１つの車輪ブレーキ・シリンダとの間に設けられた油圧装置であって、該油圧装置が、切換可能な弁からなる装置、貯蔵室、並びに少なくとも１つの油圧ポンプを有する油圧装置と、
前記マスタ・ブレーキ・シリンダと前記油圧装置との間に配置された差圧弁とを有し、
第1工程において、前記マスタ・ブレーキ・シリンダ内の圧力が切換圧力に到達するまで、前記マスタ・シリンダ圧力の関数として、前記油圧装置と前記少なくとも１つの車輪ブレーキ・シリンダのうちの少なくとも一方において比例的に圧力を上昇させ、
第２工程において、前記マスタ・シリンダ圧力を上昇させながら、前記切換圧力に到達すると、前記差圧弁を閉じて前記少なくとも１つの車輪ブレーキ・シリンダの圧力を一定に維持し、
第３工程において、前記マスタ・シリンダ圧力と前記少なくとも１つの車輪ブレーキ・シリンダ内の圧力との間が所定の第１の圧力差に到達すると、前記差圧弁が前記少なくとも１つの車輪ブレーキ・シリンダ内の圧力を上昇させ、前記第３工程において前記少なくとも１つの車輪ブレーキ・シリンダ内の圧力が上昇している間、少なくとも前記所定の第１の圧力差を維持し、
第４工程において、マスタ・シリンダ圧力が更に上昇することに対応して、車両固有の滑り値の到達、車輪速度の加速度値の到達、及びブレーキ作動の開始のうち１つの関数として、前記マスタ・ブレーキ・シリンダから前記貯蔵室にブレーキ液を制限された量だけ供給し、前記制限された量のブレーキ液の供給は第５工程の前に行われ、
前記第５工程において、前記少なくとも１つの油圧ポンプを制御し、前記制限された量のブレーキ液を使用して、前記油圧装置と前記少なくとも１つの車輪ブレーキ・シリンダのうちの少なく一方の圧力を上昇させ、
第６工程において、前記マスタ・シリンダ圧力と前記少なくとも１つの車輪ブレーキ・シリンダ内の圧力との間が所定の第２の圧力差に到達すると、前記少なくとも１つの車輪ブレーキ・シリンダ内の圧力を、マスタ・シリンダ圧力に対して、所定の値だけ増幅された状態で比例的に上昇させることを特徴とする自動車用の油圧ブレーキ装置。
【請求項２】
請求項１に記載のブレーキ装置において、
差圧弁が少なくとも２つの弁座を有し、
その第１の弁座は、前記マスタ・シリンダ圧力と前記少なくとも１つの車輪ブレーキ・シリンダ内の圧力との間の前記所定の第２の圧力差において閉じられ、
その第２の弁座は、前記所定の第２の圧力差より低い前記所定の第１の圧力差において開かれることを特徴とするブレーキ装置。
【請求項３】
請求項１に記載のブレーキ装置において、
前記第２の圧力差が、３０乃至７０バールの範囲内にあることを特徴とするブレーキ装置。
【請求項４】
請求項１に記載のブレーキ装置において、
前記第１の圧力差が約１バールの値であることを特徴とするブレーキ装置。
【請求項５】
請求項１に記載のブレーキ装置において、
前記差圧弁が滑り弁であることを特徴とするブレーキ装置。
【請求項６】
請求項２に記載のブレーキ装置において、
前記第１の弁座が弁スライダを有し、該弁スライダは前記差圧弁のハウジング内に移動可能に配置されていることを特徴とするブレーキ装置。
【請求項７】
請求項２に記載のブレーキ装置において、
前記第２の弁座がばね荷重逆止弁として形成されていることを特徴とするブレーキ装置。
【請求項８】
自動車用の油圧ブレーキ装置の制御方法であって、
前記油圧ブレーキ装置は、
自動車ドライバのブレーキ希望の関数としてマスタ・シリンダ圧力を発生するためのマスタ・ブレーキ・シリンダと、
前記マスタ・ブレーキ・シリンダと少なくとも１つの車輪の少なくとも１つの車輪ブレーキ・シリンダとの間に設けられている油圧装置とを有しており、
前記油圧装置は、切換可能な弁からなる装置、貯蔵室、並びに少なくとも１つの油圧ポンプを有しており、
前記マスタ・ブレーキ・シリンダと前記油圧装置との間に差圧弁が設けられており、
第１工程において、マスタ・シリンダ圧力の関数として、前記油圧装置と前記少なくとも１つの車輪ブレーキ・シリンダのうち少なくとも一方において比例的に圧力を上昇させ、
第２工程において、前記マスタ・シリンダ圧力を上昇させながら、切換圧力に到達すると、前記差圧弁を閉じて前記少なくとも１つの車輪ブレーキ・シリンダの圧力を一定に維持し、
第３工程において、前記マスタ・シリンダ圧力と前記少なくとも１つの車輪ブレーキ・シリンダ内の圧力との間が所定の第１の圧力差に到達すると、前記少なくとも１つの車輪ブレーキ・シリンダ内の圧力を上昇させ、前記第３工程において前記少なくとも１つの車輪ブレーキ・シリンダ内の圧力が上昇している間、少なくとも前記所定の第１の圧力差を維持し、
第４工程において、前記マスタ・シリンダ圧力が更に上昇することに対応して、車両固有の滑り値の到達、車輪速度の加速度値の到達、ブレーキ作動の開始、及びその他の変数のうち１つの関数として、前記マスタ・ブレーキ・シリンダから前記貯蔵室にブレーキ液を制限された量だけ供給し、前記制限された量のブレーキ液の供給は第５工程の前に行われ、
前記第５工程において、前記少なくとも１つの油圧ポンプを制御し、前記制限された量のブレーキ液を使用して、前記油圧装置と前記少なくとも１つの車輪ブレーキ・シリンダのうち少なくとも一方の圧力を上昇させ、
第６工程において、前記マスタ・シリンダ圧力と前記少なくとも１つの車輪ブレーキ・シリンダ内の圧力との間が所定の第２の圧力差に到達すると、前記少なくとも１つの車輪ブレーキ・シリンダ内の圧力を、前記マスタ・シリンダ圧力に対して、所定の値だけ増幅された状態で比例的に上昇させることを特徴とする自動車用の油圧ブレーキ装置の制御方法。
【請求項９】
請求項８に記載の方法において、
前記マスタ・シリンダ圧力と前記少なくとも１つの車輪ブレーキ・シリンダ内の圧力との間の前記所定の第２の圧力差において、前記差圧弁の第１の弁座が閉じられることを特徴とする方法。
【請求項１０】
請求項８に記載の方法において、
前記マスタ・シリンダ圧力と前記少なくとも１つの車輪ブレーキ・シリンダ内の圧力との間の前記所定の第１の圧力差において、前記差圧弁の第２の弁座が開かれることを特徴とする方法。
【請求項１１】
請求項８に記載の方法において、
前記第２の圧力差が３０乃至７０バールの範囲内にあることを特徴とする方法。
【請求項１２】
請求項８に記載の方法において、
前記第１の圧力差が約１バールの値であることを特徴とする方法。
【請求項１３】
請求項１に記載のブレーキ装置において、
前記車輪ブレーキ・シリンダ圧力が、所定の値だけ増幅された状態で比例的に上昇することに対応して、前記差圧弁が閉じられることを特徴とするブレーキ装置。
【請求項１４】
請求項１に記載のブレーキ装置において、
前記第２の圧力差が、前記差圧弁の形状によって予め決定されることを特徴とするブレーキ装置。
【請求項１５】
請求項１に記載のブレーキ装置において、
前記第２の圧力差に到達した後、前記差圧弁が短時間開き、圧力が均等化されることを特徴とするブレーキ装置。
【請求項１６】
請求項１に記載のブレーキ装置において、
前記第５工程において、前記圧力上昇が、前記マスタ・シリンダ圧力から独立して行われることを特徴とするブレーキ装置。
【請求項１７】
請求項１に記載のブレーキ装置において、
所定の値だけ増幅された状態での比例的な圧力上昇が、前記少なくとも１つの油圧ポンプによって行われることを特徴とするブレーキ装置。
【請求項１８】
請求項１に記載のブレーキ装置において、
前記少なくとも１つの車輪ブレーキ・シリンダの圧力低下弁を短時間作動することによって、前記制限された量のブレーキ液が導入されることを特徴とするブレーキ装置。
【請求項１９】
請求項８に記載の方法において、
前記車輪ブレーキ・シリンダ圧力の、所定の値だけ増幅された状態での比例的な上昇に対応して、前記差圧弁が閉じられることを特徴とする方法。
【請求項２０】
請求項８に記載の方法において、
前記第２の圧力差が、前記差圧弁の形状によって予め決定されることを特徴とする方法。
【請求項２１】
請求項８に記載の方法において、
さらに、前記第２の圧力差に到達した後、前記差圧弁を短時間開き、圧力を均等化する工程を含むことを特徴とする方法。
【請求項２２】
請求項８に記載の方法において、
前記第５工程の前記圧力上昇が、前記マスタ・シリンダ圧力から独立して行われることを特徴とする方法。
【請求項２３】
請求項８に記載の方法において、
所定の値だけ増幅された状態での比例的な圧力上昇が、前記少なくとも１つの油圧ポンプによって行われることを特徴とする方法。
【請求項２４】
請求項８に記載の方法において、
前記制限された量のブレーキ液の供給が、前記少なくとも１つの車輪ブレーキ・シリンダの圧力低下弁を短時間作動する工程を含むことを特徴とする方法。
【発明の詳細な説明】
【技術分野】
【０００１】
本発明は請求項１の特徴を有する特に自動車用の油圧ブレーキ装置並びに請求項８の特徴を有する油圧ブレーキ装置の制御方法に関するものである。
【背景技術】
【０００２】
自動車の緊急ブレーキ作動において短時間内に最大ブレーキ減速を確保するために、より急速な圧力上昇したがって最大減速度を達成可能なように、油圧装置内の圧力上昇速度に応じて追加圧力増幅が行われる、ドライバの減速希望の評価およびブレーキ装置の作動圧力上昇方法が既知である。
【０００３】
この既知のいわゆるブレーキ・アシスト（ＢＡ）は、通常、追加の電気構成要素を有する改良ブレーキ力増幅装置に基づいているか、またはブレーキ・ペダルにおけるペダル・ストロークの関数として、および／またはペダル・ストロークおよび／またはマスタ・ブレーキ・シリンダ圧力の時間変化の関数として、必要に応じて弁の電気作動によりマスタ・ブレーキ・シリンダ圧力が上昇される、ＡＳＲ（アンチスリップ制御）油圧装置またはＥＳＰ（電気式安定性プログラム）油圧装置に基づいている。これらの上記変数を測定するために、および追加構成要素を作動させるために、油圧装置に対してある程度の追加部品費用が必要である。
【０００４】
ドイツ特許公開第１９９２５７９４号から、ブレーキ圧力を増幅するために油圧装置が作動および／または非作動とされる操作点が、マスタ・シリンダ圧力の時間微分と、および自動ブレーキ力増幅装置の負圧室および／または作業室内の圧力と周囲圧力との間の差圧とを考慮して決定される、ブレーキ圧力制御装置の油圧ブレーキ力増幅の制御方法が既知である。これにより、ブレーキ操作動特性（ペダル操作速度）が異なる場合においても、できるだけペダル操作快適性、ブレーキ力の伝達性および安全性に対する要求が考慮されるブレーキ特性が可能とされることになる。
【特許文献１】ドイツ特許公開第１９９２５７９４号
【発明の開示】
【発明が解決しようとする課題】
【０００５】
油圧ないし電気油圧構成要素の追加なしにいわゆるブレーキ・アシスト機能が形成される油圧ブレーキ装置を提供することが本発明の課題である。
【課題を解決するための手段】
【０００６】
この課題は請求項１のブレーキ装置および請求項８の制御方法により解決される。
請求項１の上位概念の特徴を有する油圧（液圧）ブレーキ装置において、マスタ・ブレーキ・シリンダと油圧装置との間に差圧弁が配置され、差圧弁は、マスタ・シリンダ圧力と車輪シリンダ圧力との間の所定圧力差において、マスタ・ブレーキ・シリンダと、車輪シリンダ圧力を上昇させるための油圧装置との間の油圧結合を遮断ないし開放するように設計されている。このようにして、油圧（液圧）ないし電気油圧構成要素の追加なしに、希望ブレーキ圧力において車輪シリンダ圧力の急速上昇を提供可能ないわゆるブレーキ・アシスト機能を形成可能である。
【０００７】
典型的な車両用油圧ブレーキ装置は８つの電磁弁を有するＡＢＳ油圧装置を含み、この場合、各車両車輪にそれぞれ圧力上昇弁および圧力低下弁が付属されている。さらに、戻しポンプおよび追加の油圧、電気受動構成要素が設けられている。ブレーキ・アシスト機能の使用はＡＢＳ制御装置内のソフトウェアにより実行される。必要に応じて、存在する電磁弁および戻しポンプのモータが操作される。この場合、追加構成要素の特性により、マスタ・ブレーキ・シリンダ圧力は分離され且つ戻しポンプにより車輪ブレーキ・シリンダ内にマスタ・ブレーキ・シリンダ内の圧力より高い圧力が発生される。既知のＡＢＳシステムに比較して、本発明による油圧ブレーキ装置においては、新たな電気配線および電気設備は必要としない。新たな油圧構成要素が使用され且つ制御装置内のソフトウェアが変更されるだけでよい。
【０００８】
本発明の好ましい実施形態は、差圧弁が少なくとも２つの弁座を有し、その第１の弁座は、マスタ・シリンダ圧力と車輪シリンダ圧力との間の所定の第１の圧力差において閉じられ、およびその第２の弁座は、第１の圧力差より低い所定の第２の圧力差において開かれるように設計されている。本発明は、構造的に減圧弁に類似の、電気部品のない特に油圧滑り弁に関するものである。この滑り弁により最小費用でブレーキ・アシスト機能を形成することができる。本発明による滑り弁は、ＡＢＳ油圧装置内に組み込まれていても、または追加の着脱可能要素として、油圧装置と、マスタ・ブレーキ・シリンダと、またはマスタ・ブレーキ・シリンダから油圧装置への配管と油圧結合されていてもよい。着脱可能態様においては従来の構成要素ユニット方式を変更する必要はなく、したがって、新たなブレーキ・アシスト・システムは小型および中型車両に対してもコスト的に有利である。
【０００９】
第１の圧力差は３０−７０バールの範囲内にあってもよく、約５０バールであることが好ましい。第２の圧力差は例えば約１バールであってもよい。
本発明のその他の有利な形態が従属請求項に記載のその他の特徴から明らかである。
【００１０】
以下に本発明を好ましい実施例において付属図面により詳細に説明する。
【発明を実施するための最良の形態】
【００１１】
図１は本発明による差圧弁１０を略縦断面図で示している。弁１０は円筒ハウジング１２を含み、円筒ハウジング１２は内壁面に段付セクションを有し、並びに第１の正面１２１に、内ねじ１２２を設けた第１の圧力接続口１４を有している。内ねじ１２２はハウジング・カバー１６をねじ込むために使用され、ハウジング・カバー１６はマスタ・ブレーキ・シリンダ（図示されていない）からのブレーキ配管のための接続ねじ１６１を有している。ハウジング１２の第１の正面１２１とは反対側の第２の正面１２３に、差圧弁１０を油圧装置等内に装着するための接続ねじ１２４が設けられている。したがって、接続ねじ１２４は第２の圧力接続口１５と結合するために使用される。
【００１２】
ハウジング１２の内部で縦方向に移動可能なハウジング・インサート２０はその外壁面にシール・リング２２および２４を受け入れるためのリング状溝２０１および２０２を有し、シール・リング２２および２４はハウジング１２の内壁面に当接してハウジング・インサート２０をシールし、このようにしてハウジング１２内に種々の圧力室を形成させる。さらに、ハウジング・カバー１６に向かい合うハウジング・インサート２０の正面２０５に内ねじ２０３が設けられ、内ねじ２０３内にインサート２６をねじ込み可能であり、インサート２６の機能はのちに詳細に説明する。
【００１３】
インサート２６により閉鎖可能なハウジング・インサート２０の凹部２０４内に球形弁体２８が挿入され、球形弁体２８はばね３０を介してハウジング・インサート２０に支持されている。ハウジング・インサート２０は中心内孔２０６を有し、中心内孔２０６は、弁体２８とインサート２６との間の弁座２６１が開かれているときに第１の圧力接続口１４と第２の圧力接続口１５との間に貫通通路を形成する。
【００１４】
一方で、ハウジング・インサート２０は他のばね３２を介してハウジング１２の正面段１２５に支持されている。圧力がない状態したがって解放状態においては、ハウジング・インサート２０はばね３２のばね力によりその正面２０５がハウジング・カバー１６に当接している。弁座の他の機能は図２により詳細に説明する。
【００１５】
図２は、マスタ・ブレーキ・シリンダ４０と、種々の油圧および電気油圧構成要素からなる油圧装置４２との間の本発明による差圧弁１０の配置を示す。ここで、２つの分離ブレーキ回路を有する車両のブレーキ・システムが示され、ブレーキ回路にはそれぞれマスタ・ブレーキ・シリンダにより圧力が供給される。ブレーキ回路は、例えば対角方向ブレーキ回路分割用に設計されていても、または前方および後方ブレーキ回路への分割用に設計されていてもよい。基本的に、このシステムは、いわゆる戻し原理に基づくあらゆるＡＢＳブレーキ・システムに対して使用可能である。
【００１６】
ドライバから操作されるブレーキ・ペダル５０によるマスタ・ブレーキ・シリンダ４０の加圧において、図２に示されているように、ブレーキ力増幅装置５２を介して、それぞれ差圧弁１０と連絡している第１の主圧力配管４４並びに第２の主圧力配管４６内に圧力上昇が行われる。しかしながら、ここでは、図を見やすくするために、存在する２つのブレーキ回路のうちの１つのみが示され且つこれを説明する。ここに記載の関係および機能方式は同様に第２のブレーキ回路に対しても適用される。
【００１７】
第１の主圧力配管４４は差圧弁の第１の圧力接続口１４に連絡し且つその機能に応じて油圧装置４２内に圧力上昇を形成し、これにより、車輪ブレーキ・シリンダ７０において、ドライバからブレーキ・ペダル５０におけるペダル圧力によって設定されるブレーキ力より大きいブレーキ力の増幅を発生可能である。ドライバのブレーキ希望があるとき、車両は通常ブレーキ圧力の上昇によって減速される。差圧弁１０は最初は開いたままであるので、油圧装置４２内の圧力ｐＫｒｅｉｓはマスタ・ブレーキ・シリンダ４０の圧力ｐＨＺに対応している（ｐＫｒｅｉｓ＝ｐＨＺ）。
【００１８】
例えば５０バールの所定の切換圧力（ｐＨＺ＝５０バール）に到達したとき、ハウジング・インサート２０は、ばね３２のばね力Ｆ１と、およびハウジング内を滑るシール・リング２２および２４の摩擦力Ｒ１およびＲ３とに抗して、ハウジング１２内をハウジング・インサート２０の左側ストッパの方向に移動する。ここで、そのばね力Ｆ２を有する弁ばね３０は弁体２８を弁タペット１６２にもはや圧着させずに弁座２６１に圧着させるので、滑り弁１０は閉じている。弁１０に対する閉鎖条件は次の不等式
ｐＨＺ・（Ａ１−Ａ３）＞Ｆ１＋Ｒ１＋Ｒ３
から導かれる。ここで面積Ａ１はハウジング・インサート２０の正面２０５におけるハウジング・インサート２０の外径から求められ、および面積Ａ３はインサート２０のそれとは反対側の正面２０７におけるインサート２０のシール直径から求められる（図２参照）。値Ｆ１は弁ばね３２のばね力に対応する。値Ｒ１およびＲ３は、弁１０の内壁面に沿って滑る２つのシール・リング２２および２４の摩擦力を表わす。閉鎖圧力に対する典型的な値は約５０バールであってもよい（ｐＨＺ閉鎖＝５０バール）。
【００１９】
図３の線図において、この切換点Ａが、上昇曲線から水平経過への移行により示されている。
例えば１バールの僅かな圧力上昇ののちに逆止弁として形成されている滑り弁１０が開き、これにより、ブレーキ回路内の圧力ｐＫｒｅｉｓはマスタ・ブレーキ・シリンダ内の圧力ｐＨＺよりも１バールだけ低い値でさらに上昇する。切換点Ｂまでのこの経過が図３内の曲線の短い水平経過により示されている。開放圧力は次の条件
ｐＨＺ−ｐＫｒｅｉｓ＞Ｆ２／Ａ２
に従って計算される。ここで、Ａ２は、逆止弁が閉じられたとき直ちに弁体２８が弁座に当接する弁座２６１の弁座直径に対応する（図２参照）。逆止弁の開放圧力に対する典型的な値は例えば１バールであってもよい（Ｆ２／Ａ２＝１バール）。
【００２０】
外部影響により、例えば車両固有の滑り値または車輪回転速度加速度値の到達により、ブレーキ作動の開始により、またはその他の変数により決定されているある時点において、ブレーキ液の制限された量が油圧装置４２の低圧貯蔵室６０内に供給される。これは例えば次の方法で行われてもよい。ＡＢＳ圧力上昇弁６２が開いているとき、ペダル反作用および弁騒音が許容可能な範囲内にあるように、短時間非同期で且つ脈動により圧力低下弁６４が操作される。これにより、貯蔵室６０はブレーキ液の制限された量で満たされる。このブレーキ液の量はマスタ・ブレーキ・シリンダ４０から取り出されるので、ブレーキ・ペダル５０は多少たわむことになる。
【００２１】
弁の開放圧力は次の不等式
Ｆ１−Ｒ１−Ｒ２＋ｐＫｒｅｉｓ・Ａ３＞ｐＨＺ・（Ａ１−Ａ３）
により計算され、この不等式はｐＫｒｅｉｓに関して解くことができ、したがって次の不等式
ｐＫｒｅｉｓ・Ａ３＞ｐＨＺ・（Ａ１−Ａ３）−Ｆ１＋Ｒ１＋Ｒ３
が得られる。
【００２２】
この点Ｃ（図３参照）に到達したのちに、戻しポンプ６８のモータ６６が投入される。貯蔵室６０内に存在するブレーキ液容量はブレーキ回路内にポンピングされる。この容量は、滑り弁１０が閉じられていることにより、最初はマスタ・ブレーキ・シリンダ回路に逆流することはない。したがって、車輪ブレーキ・シリンダ７０に連絡している回路圧力内に希望の圧力上昇が発生する。これは通常のブレーキ・アシスト機能に対応する。
【００２３】
車輪ブレーキ・シリンダ７０内の圧力上昇が不安定な車輪回転速度比（ブレーキ滑り）を導いたとき、ＡＢＳ制御は通常のように作動される。この制御は既知の制御装置８０によりモニタリングされ且つ操作され、複数の測定変数特に車輪回転速度、ブレーキ圧力等を有している。
【００２４】
圧力差
Δｐ＝ｐＫｒｅｉｓ−ｐＨＺ
が、定義され且つ構造的に決定された限界値に到達したとき、滑り弁１０のハウジング・インサート２０はマスタ・ブレーキ・シリンダ回路の圧力に抗して押し戻され、これにより、球形弁体２８を押す弁タペット１６２は弁を開く（図３の点Ｄ）。ハウジング・インサート２０において力平衡が設定されたのちに弁１０は再び閉じ、且つブレーキ回路内の圧力ｐＫｒｅｉｓは、特性曲線の勾配がマスタ・ブレーキ・シリンダ回路の特性曲線よりも所定の値だけ増幅されている特性曲線に沿って上昇する。この値は差圧弁内の弁座の面積比から次式
ｐＫｒｅｉｓ＝ｐＨＺ・（Ａ１−Ａ３）／Ａ３
により計算される。ここで面積Ａ１はハウジング・インサート２０の正面２０５におけるハウジング・インサート２０の外径から求められ、および面積Ａ３はインサート２０のそれとは反対側の正面２０７におけるインサート２０のシール直径から求められる（図２参照）。
【００２５】
ブレーキ過程の終了後にドライバはブレーキ・ペダル５０を放し且つマスタ・ブレーキ・シリンダ回路内の圧力は再び０に戻ろうとする。油圧装置４２内の圧力は滑り弁１０のインサート２０を元の位置に戻し、これにより弁は開き且つ全ブレーキ装置内の圧力は０に低下される。
【００２６】
図３の線図において、戻しポンプ６８はｐＨＺ＝０…Ｃの範囲（範囲Ｉ）内において遮断されおよびｐＺ＞Ｃの範囲（範囲ＩＩ）内において投入される。
問題のないブレーキ・アシスト機能のために必要な貯蔵室６０内のブレーキ液の僅かな容量は次のようにして得られてもよい。車両がスタートしたのちに通常テスト・サイクルが実行される。第１のブレーキ作動において、ＡＢＳ圧力低下弁６４の脈動切換により貯蔵室６０内に必要な圧力が形成されてもよい。これは、妨害騒音が発生しないように、およびブレーキ・ペダルにおいて不利なペダル反作用が発生しないように、弁６４の非同期脈動により行われることが好ましい。閉じられた弁座における漏れを排除するために、貯蔵室６０を適切に空にするように、ブレーキ作動のない走行運転の間に圧力低下弁６４が周期的且つ非同期で脈動操作されてもよい。それに続くブレーキ運転において、第２の脈動サイクルにより貯蔵室６０を再びブレーキ液の制限された量で満たすことができる。
【００２７】
停車中の車両またはブレーキ作動されていない車両においては、車輪ブレーキ・シリンダ７０から貯蔵容器４１まで貫通油圧結合が形成され、これにより、容量平衡が妨害されることはない。これは、ブレーキ装置またはブレーキ液の加熱過程または冷却過程において、および／または車輪ブレーキ・シリンダ内のライニング摩耗またはピストン運動の均等化のために有利である。
【００２８】
急速ブレーキ作動即ち急速ブレーキ操作においては、ＡＢＳ弁および滑り弁は車輪ブレーキ・シリンダにおける圧力上昇を抑制する。この圧力停滞により滑り弁は閉じられ且つ投入された戻しポンプがブレーキ回路内の圧力を上昇させるので、希望のブレーキ・アシスト機能が形成される。ブレーキ過程の間に圧力低下弁６４が短時間開かれたとき、これにより差圧Δｐ＝ｐＨＺ−ｐＫｒｅｉｓが形成され、この結果、滑り弁は閉じられ、一方でブレーキ・アシスト機能が確保される。この方法により、ブレーキ・アシスト機能を場合により開始させることができる。
【００２９】
ＡＢＳ（アンチロック・システム）が故障した場合、油圧装置４２の戻しポンプ６８を操作させることができず、これによりブレーキ・アシスト機能もまた希望どおりに形成可能ではない。しかしながら、滑り弁１０の閉鎖圧力に到達したとき、弁体は逆止弁としてオーバフローされるので、車輪ブレーキ・シリンダ７０内の圧力上昇を、さらに増幅なしに行うことができる。ブレーキ過程が終了したとき、弁スライダは再び元の位置に戻り、これにより滑り弁を開く。即ち、ＡＢＳ故障に関しては、このシステムは安全に作動する（「フェール・セーフ」）。
【００３０】
ブレーキ・アシスト機能が作動しているとき、滑り弁は、ブレーキ・ペダル５０に対する反作用および戻しポンプ６８および電磁弁６２および６４の騒音を抑制するダンピング・ピストンとして働く。このようにして快適性要求が満たされる。
【００３１】
前方および後方ブレーキ回路へのブレーキ回路分割に対しては、場合により、後方ブレーキ回路に対しては滑り弁がなくてもよく、その理由は、後車軸ブレーキは、強いブレーキ作動において、前方への動的車軸荷重分配に基づいて全体の減速に対して僅かに寄与するにすぎないからである。後方ブレーキ回路に対して滑り弁がある場合、後車輪のオーバブレーキ作動の危険が存在し、これが車両の走行安定化を著しく損なうことになるであろう。後車軸の車輪ブレーキ・シリンダに対して圧力が増幅されないことは、このようにして、後車輪のより大きなコーナリング・フォースを可能にする。したがって、ブレーキ・アシスト機能が作動しているときにおいても、車両は常に安全且つ安定して制動可能であり、このことは、滑らかで、滑りやすい、またはゆるい路床ないし車道路面上のブレーキ操作においても特に利点を提供する。
【図面の簡単な説明】
【００３２】
【図１】本発明による差圧弁の略断面図である。
【図２】車両ブレーキ装置の原理図である。
【図３】差圧弁の一設計例を示した圧力線図である。
【符号の説明】
【００３３】
１０    差圧弁（滑り弁）
１２    ハウジング
１４    第１の圧力接続口
１５    第２の圧力接続口
１６    ハウジング・カバー
２０    ハウジング・インサート
２２、２４    シール・リング
２６    インサート
２８    弁体
３０、３２    ばね
４０    マスタ・ブレーキ・シリンダ
４１    貯蔵容器
４２    （液圧装置としての）油圧装置
４４、４６    主圧力配管
５０    ブレーキ・ペダル
５２    ブレーキ力増幅装置
６０    低圧貯蔵室
６２    ＡＢＳ圧力上昇弁
６４    ＡＢＳ圧力低下弁
６６    モータ
６８    戻しポンプ
７０    車輪ブレーキ・シリンダ
８０    制御装置
１２１    第１の正面
１２２、２０３    内ねじ
１２３    第２の正面
１２４、１６１    接続ねじ
１２５    正面段
２０６    中心内孔
１６２    弁タペット
２０１、２０２    溝
２０４    凹部
２０５、２０７    ハウジング・インサート正面
２０６    中心内孔
２６１    弁座
Ａ、Ｂ、Ｃ、Ｄ    点
Ａ１、Ａ２、Ａ３    面積
Ｆ１、Ｆ２    ばね力
ｐＨＺ    マスタ・ブレーキ・シリンダ内圧力
ｐＫｒｅｉｓ    車輪シリンダ圧力（油圧装置内圧力、ブレーキ回路内圧力）
Ｒ１、Ｒ２    摩擦力
Δｐ    圧力差
Ｉ    圧力範囲（戻しポンプ遮断）
ＩＩ  圧力範囲（戻しポンプ投入）
【図１】
0004741213.tif 000002
【図２】
0004741213.tif 000003
【図３】
0004741213.tif 000004